(57)【要約】【課題】  配置薬箱、ペット配置薬箱又は薬箱にマイナスイオンの発生機能を付加させ、居間、応接室、台所等に配置してもらった薬の箱であると同時に、マイナスイオンの放出により、その部屋の空気をクリーン化し、薬箱の中の薬を新鮮状態を保ち居住する人やペットを森林浴の雰囲気に近づける機能を合わせ持つ配置薬箱、ペット配置薬箱又は薬箱の考案を課題とした。【解決手段】  本考案では、色々の方法で、電気石、その他のマイナスイオンを放出する無機物を配置薬箱又は薬箱に存在せしめることに成功した。すなわち、プラスチックへの練り込み法、木材への含浸法、プラスチックや木材への塗布法、プラスチックや木材への貼り付け法によって、従来にない新しい構造の箱を考案し、配置薬箱、ペット配置薬箱又は薬箱であると同時に、マイナスイオンを放出する配置薬箱、ペット配置薬箱又は薬箱となった。【選択図】  図１
0003104611.tif 000002
【実用新案登録請求の範囲】
【請求項１】
マイナスイオンを発生する無機物が、練り込み、含浸、塗装、接合された材料で、箱の一部又は全体が構成された構造の配置箱,ペット配置薬箱又は薬箱
【請求項２】
マイナスイオンを発生する無機物を塗料に混合し箱の外部に塗装した構造の配置薬箱、ペット配置薬箱又は薬箱
【請求項３】
マイナスイオンを発生する無機物を含有するラベルを箱の外部に粘着剤によって貼り付けた構造の配置薬箱、ペット配置薬箱又は薬箱
【請求項４】
マイナスイオンを発生する無機物を練り込んだプラスチック外箱又は蓋を使用した構造の配置薬箱、ペット配置薬箱又は薬箱
【請求項５】
プラスチック又は木質を材料とした請求項２又は請求項３の配置薬箱、ペット配置薬箱又は薬箱
【請求項６】
マイナスイオンを発生する無機物を浸透させた木質より構成された配置薬箱、ペット配置薬箱又は薬箱
【請求項７】
無機物として、電気石、海底鉱石、酸化チタン、導電性炭等から選ばれたマイナスイオンを発生する無機物を含む層を積層した構造の配置薬箱ペット配置薬箱又は薬箱
【考案の詳細な説明】
【技術分野】
【０００１】
本考案は、家庭の居間や台所等に常時置いてある配置薬箱、ペット配置薬箱又は薬箱からマイナスイオンを発生させて居住空間の空気を浄化し、日常の生活で森林浴の爽やかさを感じられる、新規に考案した配置薬箱、ペット配置薬箱又は薬箱に関する。
【背景技術】
【０００２】
水が岩にぶつかり空気中で分裂すると、付近の空気にマイナスイオンが発生し、水滴は等価の正に帯電する現象が見出され、レナード効果と称している。（文献１）
滝の付近で負の空気イオンが多いことから滝効果とも言われている。平素、我々は、滝の近くに行くと、気分が爽快になることも経験している。マイナスイオンは、人やペットの身体をアルカリ性にして、細胞内に酸素と栄養を吸収し易くし、細胞を活性化することが認められている。マイナスイオンの量は、空気１ｃｃに、滝周辺で３０００から４０００個、森林内部で２０００個、一般家庭ではゼロから１００個程度と言われている。ＯＡ機器の多いオフィスやタバコの煙の立ち込めた部屋では、プラスイオンが多く健康を害する。我々は、マイナスイオンの多い環境で生活できることが望ましいといえる。
【０００３】
一方、高電圧をかけてマイナスイオンを発生させる機能の付いた家庭用空調機や消臭器
が、多くのメーカーから発売されている。市販のマイナスイオンを発生する消臭機は、トイレの臭いも無臭にする効果があり、最近設置している家庭も多くなった。水を少量送り込みながら１５ＫＶの高圧をかけて放電させると、マイナスに帯電した巨大クラスターイオンが放出される現象を大阪府立大学が発表している。病院や老人施設の室内設備として利用し、施設居住者の安らぎ効果を研究しようとしている。（特許文献１）
【０００４】
最近、備長炭や電気石或は海底の鉱物等、二三の無機物からマイナスイオンの発生が報
告されている。我々は、配置薬サービスをビジネスとしている企業として、これらを組み合わせて、毎日の生活空間において、電力を使用しないでマイナスイオンの発生機能を有するものを考案すれば、日常の生活環境の中で森林浴効果を味わうことができると考え、新規な構造の配置薬箱、ペット配置薬箱又は薬箱の考案に至った。
【０００５】
【特許文献１】特願２００２−１３５７６３
【非特許文献１】日刊工業新聞社発行、理工学辞典１５５７頁
【考案の開示】
【考案が解決しようとする課題】
【０００６】
従来技術の問題点として、販売されているマイナスイオン発生機は高価なものであり、各部屋に設置するほど多数買うわけにはいかない。滝の近くや森林浴に行くには、電車でかなり遠方へ行く必要があり、度々行くのは大変である。多くの家庭に配置している配置薬箱、ペット配置薬箱に、マイナスイオンの発生機能の付与ができれば、最近低迷している配置薬ビジネスの問題の解決にもつながる。本考案は、安価な方法で、家庭室内のマイナスイオンの増加という課題をビジネスに関連させて解決しようとするものである。
【課題を解決するための手段】
【０００７】
一つの方法として、マイナスイオンを発生する無機物を、木材やプラスチックのような材料に含浸するか練り込んで配置薬箱、ペット配置薬箱又は薬箱を製作するやり方がある。プラスチックの場合には、マイナスイオンを発生する無機物を、量的に多く練り込んだマスターバッチとしてチップを作成しておき、インジェクション設備により必要な形状のプラスチックの箱を成型する方法である。木質の場合には、微粒子にして分散させたマイナスイオンを発生する無機物の分散液に木材を浸漬して表面層に浸透させる方法である。
【０００８】
また、別の方法として、塗料の中にマイナスイオンを発生する無機物の微粒子を練り込み、スプレーや刷毛により塗装して、配置薬箱、ペット配置薬箱又は薬箱の表面に、その多くの微粒子が存在する構造を２層構造として実現させる。プラスチックの箱の場合も、練り込むよりは塗装の方が、マイナスイオンを発生する微粒子が表面に多く存在し、発生量も多く、効果的である。
【０００９】
さらに、もう一つの手段としては、マイナスイオンを発生する無機物を練り込んだフィルムを作成し、その片面に粘着剤を塗布し、それに離型紙を貼り付けたラベル状の広いシートを作成し、それを所定の大きさに切り、配置薬箱、ペット配置薬箱又は薬箱に貼り付ける方法である。粘着剤の着いたシートを作成しておけば、大きさの異なる箱にも、また、箱の表面の貼付したい所にマイナスイオンを発生するシートを貼ることが出来て便利である。そのシートの上には、箱の中の配置薬の情報を印刷することもできる。
【考案の効果】
【００１０】
本考案の効果として以下のことが実現できた。
マイナスイオン発生配置薬箱、ペット配置薬箱又は薬箱として、従来、配置薬の設置を拒否していた顧客も興味を持ち営業拡大の効果が実現できた。更に箱の中に入れてある薬やサプリメントなどの新鮮さは保たれ製造日に近い新鮮な商品を顧客に提供できるほか居住空間をいつも森林浴に近い状態にできる。
【考案を実施するための最良の形態】
【００１１】
図１は、引き出しタイプの配置薬箱、ペット配置薬箱又は薬箱の模式図である。１は、マイナスイオンを放出する無機物を練り込んだプラスチック製のケースであり、２も同じくその無機物を練り込んだプラスチック製の引き出しである。表面層にある鉱物の電気石から常にマイナスイオンが室内に放出される。３の取っ手を持って引き出して中の配置薬を取り出す方式であるが、この箱は、居間のタンスの上に何時も置いてある。光触媒であるアナターゼ型の酸化チタンの微粉末と電気石の微粉末を練り込んで置くと、汚れも防止でき、効率的にマイナスイオンが発生し、部屋の雰囲気が良くなる配置薬箱、ペット配置薬箱又は薬箱である。
【００１２】
図２は、開閉方式の配置薬箱、ペット配置薬箱又は薬箱の模式図である。木製の容器１に木製の蓋２が付いた物であり木目が表から観察される美しいものである。この木材は、微粒子の電気石が分散した液に浸漬して、マイナスイオンを発生する電気石を、木質の表面層に浸透させてあり、その表面からマイナスイオンを放出する。応接間に置くことにより部屋の空気を清々しくして、薬箱とは思えない木製の置物ともなっている。木材に、電気石を浸透させるときに、ヒバより採取されるヒノキチオールを浸透させて置けば、芳香を発生し、森林浴の効果と空気の浄化の複合によって爽快な気分に浸れる効果がある。
【００１３】
図３は、塗装したタイプの配置薬箱、ペット配置薬箱又は薬箱の一部の断面の模式図である。薬箱を製作した後に、マイナスイオンを放出する電気石を塗料に分散させてスプレーで塗装して、表面層に集中的に存在させ、多量のマイナスイオンを放出させるようにした。１は箱の断面であり、その表面に２の層が塗装され、２層構造となっている。２の中に電気石３が点在している。
【００１４】
図４は、粘着剤のついたシートを貼り付けた配置薬箱、ペット配置薬箱又は薬箱の一部の断面の模式図である。プラスチックフィルム１にマイナスイオンを放出する電気石の微粒子を練り込んで成膜してフィルムを作成し、それに粘着剤２を塗布して離型紙を貼り付けたものを用意し、薬箱の大きさにカットして、離型紙をはがしてプラスチック箱３に貼り付けて、配置薬箱、ペット配置薬箱又は薬箱とする。
【実施例】
【００１５】
以下に図１と４を用いて実用新案の実施例を示して説明するが、この実施例に限定するものではない。
従来の引き出し方式の配置薬箱、ペット配置薬箱又は薬箱をポリスチレンで成型して製造した。次いで、図４に模式的に示すように、プラスチック用の粘着剤を塗布したマイナスイオンを放出する電気石を練り込んだポリプロピレンフィルムの離型紙をはがして２を貼り付けた。大きさは箱の面積に対して９０％程度のやや縁の残る程度にカットしてシートを貼った。引出しの外に面した表面とプラスチックケースの上面と周辺の側面の表面に貼り付けた。この方式は、貼り付け作業には手間がかかるが、箱全体のプラスチックに練り込む必要がなく、しかも表面には電気石を多量に存在させることができるのでマイナスイオンの発生には効果的である。すでに使用してもらっている配置薬箱、ペット配置薬箱又は薬箱をマイナスイオンを放出する箱に改造することもできる利便性がある。粘着剤の中にカプセルに入れたヒノキチオールを混ぜ込んだが、部屋の中に、除放性の檜の芳香が長期間にわたって香り好評である。居間に置いていただくと森林浴の効果がありお年寄りの心身を爽快にする効果があった。
【産業上の利用可能性】
【００１６】
配置薬サービスは、ドラッグスストアーの普及と共に、都会では伸び悩みの現象が現れており、配置薬業者間の競合が激しくなっている。何か他の配置薬業者とのサービスの差別化が切実な問題となっている。薬の差別化は、困難な状況の中で、こまめに顧客廻りをして配置薬を切らさないようにしたり、価格のサービスをしたり利益を圧縮する事態は、この１０年間続いている。この状態の打破のためにも高付加価値の別のサービスが必要であった。この薬箱は、健康に良い森林浴が家庭でできるため、従来の箱と取り替える需要が出てきた。さらに、配置薬を中止しようとしていた顧客も、健康によい配置薬箱、ペット配置薬箱又は薬箱に入った配置薬を継続してもらえる効果もあった。配置薬の必要を認めなかった顧客もマイナスイオンを発生する薬箱によって、置かしてもらえることになるなど、営業のツールとして、配置薬サービス業として利用可能性は大きい。
【図面の簡単な説明】
【００１７】
【図１】マイナスイオンを放出する引き出し型の配置薬箱、ペット配置薬箱又は薬箱の斜視的模式図である。
【図２】図２  マイナスイオンを放出する蓋の開閉方式の配置薬箱、ペット配置薬箱又は薬箱の斜視的模式図である。
【図３】マイナスイオンを発生する無機物の粉末混入した塗料により塗装したプラスチック製の配置薬箱、ペット配置薬箱又は薬箱の断面模式図である。
【図４】マイナスイオンを発生する無機物を練り込んだフィルムを粘着剤によって箱の表面に貼付した配置薬箱、ペット配置薬箱又は薬箱の断面模式図
【符号の説明】
【００１８】
図１
１  マイナスイオンを放出する無機物を練り込んだプラスチックのケース
２  マイナスイオンを放出する無機物を練り込んだプラスチックの引出し
３  引出しの取っ手である
図２
１  木製の配置薬箱、ペット配置薬箱又は薬箱の容器でありマイナスイオンを放出する無機物とヒノキチオールを含浸させてある
２  木製の配置薬箱、ペット配置薬箱又は薬箱の蓋でありマイナスイオンを放出す無機物とヒノキチオールを含浸させてある
図３
１  ブラスチックの本体の一部の断面模式図
２  マイナスイオンを放出する無機物の存在する塗装部分
３  マイナスイオンを放出する無機物の微粒子
図４
１  マイナスイオンを発生する無機物を練り込んだプラスチックシートで箱の表面を形成している。
２  シートを箱に着けている粘着剤層
３  プラスチック箱の断面
【図１】
0003104611.tif 000003
【図２】
0003104611.tif 000004
【図３】
0003104611.tif 000005
【図４】
0003104611.tif 000006
【手続補正書】
【提出日】平成16年6月10日(2004.6.10)
【手続補正１】
【補正対象書類名】実用新案登録請求の範囲
【補正対象項目名】全文
【補正方法】変更
【補正の内容】
【実用新案登録請求の範囲】
【請求項１】
マイナスイオンを発生する無機物を箱の内部又は外表面に設けた構造の直方体形状の配置薬箱
【請求項２】
マイナスイオンを発生する無機物を塗料に混合し箱の外部に塗装した請求項１の記載の配置薬箱
【請求項３】
マイナスイオンを発生する無機物を含有するラベルを箱の外部の粘着剤によって貼り付けた構造の請求項１の記載の配置薬箱
【請求項４】
マイナスイオンを発生する無機物を練り込んだプラスチック容器であって動物の形にあしらえた請求項１の記載の配置薬箱
【請求項５】
電機石、海底鉱石、酸化チタン、導電性炭から選ばれたマイナスイオンを発生する無機物を使用した請求項１の記載の配置薬箱